(57)【要約】【課題】  スイング軌道が幅広いインパクトゾーンを備えているか否かを確認しながら行うスイング練習を繰り返すのに適したゴルフスイング練習機を提供すること。【解決手段】  本発明は、直立方向に延びるターゲット２０と、当該ターゲット２０が直立した状態から水平方向に倒れた状態となるように、当該ターゲット２０の基部を回動可能に保持する練習機本体１０と、前記ターゲット２０の基部と連結して設けられ、当該ターゲット２０が水平方向に倒れた状態になると、ターゲット２０の基部から離れた部分が起き上がった状態となる起立部２２と、を備えたことを特徴とするゴルフスイング練習機１である。【選択図】図１
2013043025.tif 000002
【特許請求の範囲】
【請求項１】
直立方向に延びるターゲットと、
当該ターゲットが直立した状態から水平方向に倒れた状態となるように、当該ターゲットの基部を回動可能に保持する練習機本体と、
前記ターゲットの基部と連結して設けられ、当該ターゲットが水平方向に倒れた状態になると、ターゲットの基部から離れた部分が起き上がった状態となる起立部と、
を備えたことを特徴とするゴルフスイング練習機。
【請求項２】
前記練習機本体は、上部に前記ターゲットを備えており、下部が地面に刺すことができる針状部からなることを特徴とする請求項１に記載のゴルフスイング練習機。
【請求項３】
前記ターゲット及び前記起立部は、互いにほぼ直交するように連結されていることを特徴とする請求項１又は２に記載のゴルフスイング練習機。
【請求項４】
前記ターゲット及び前記起立部は、棒状又は板状であって、全体がＬ字状に形成されていることを特徴とする請求項１ないし３の何れか一項に記載のゴルフスイング練習機。
【請求項５】
前記ターゲットは、前記起立部側へ若干傾いた状態で直立方向に延びていることを特徴とする請求項１ないし４の何れか一項に記載のゴルフスイング練習機。
【請求項６】
前記ターゲット又は前記練習機本体は、耐衝撃性を備えた柔軟な素材からなることを特徴とする請求項１ないし５の何れか一項に記載のゴルフスイング練習機。
【請求項７】
前記練習機本体は、複数個のターゲットを保持したり、異なる位置にターゲットを取り付けて保持できるように、複数個のターゲット保持部を備えていることを特徴とする請求項１ないし６の何れか一項に記載のゴルフスイング練習機。
【請求項８】
前記練習機本体は、水平方向に倒れる方向が異なる前記ターゲットを複数個備えているものであることを特徴とする請求項７に記載のゴルフスイング練習機。
【請求項９】
前記練習機本体は、水平方向に倒れた前記ターゲットの跳ね返り防止手段を備えていることを特徴とする請求項１ないし８の何れか一項に記載のゴルフスイング練習機。
【請求項１０】
前記練習機本体は、ゴルフティ又はペグを挿通して練習機本体を地面に固定できるように、止め穴を備えていることを特徴とする請求項１、３ないし９の何れか一項に記載のゴルフスイング練習機。
【請求項１１】
前記練習機本体は、長尺状の平板からなり、上面に目盛を備えていることを特徴とする請求項１、３ないし１０の何れか一項に記載のゴルフスイング練習機。
【発明の詳細な説明】
【技術分野】
【０００１】
本発明は、ゴルフスイング練習機に関するものであって、より詳細には、スイング軌道が幅広いインパクトゾーンを備えているか否かを確認しながら行うスイング練習を繰り返すのに適したゴルフスイング練習機に関するものである。
【背景技術】
【０００２】
従来、ゴルフクラブのスイングを適正化するために、スイング軌道を確認するためのゴルフスイング練習機又はゴルフスイング練習用具が種々提案されている（特許文献１〜特許文献８）。
【０００３】
特許文献１に記載のゴルフスイング練習機においては、スイングのフォロースルーの位置をチェックするために、ゴルフマットのフォロースルー側の端部から延長するように保持された伸縮アームと、伸縮アームの先端に首振り自在に軸着され伸縮アームに直角に立ち上がった位置にて保持され得る指標ポストを備えている。
【０００４】
しかしながら、特許文献１に記載の指標ポストは、スイングによってクラブヘッドが触れても直立したままの状態であり、クラブヘッドの軌道を確認するのが難しいという問題がある。
特に、実際にゴルフボールを打ちながらクラブヘッドの軌道を確認しようとしても、ゴルフボールを打つ際に生じる大きな衝撃及び音と、クラブヘッドが指標ポストに触れた際に生じる小さな衝撃及び音とを瞬間的に区別することはできない。
よって、このゴルフスイング練習機を打ちっ放しのゴルフ練習場にて実際に打球しながら使用しても、本来のスイング軌道チェック機能を十分発揮することはできない。
【０００５】
そこで、特許文献２に記載のゴルフスイング練習機（ゴルフスイング練習台のスイング判定器）においては、発音体の上面に起立弾性体を設けることで、クラブヘッドが起立弾性体に触れたか否かを判断できるようにしている。
しかしながら、かかる発音体が発する音は、クラブヘッドがゴルフボールに激しく当たる際に生じる衝撃音によってかき消され、ゴルフクラブのスイング軌道を確認することはやはり困難である。特に、金属製の大きな中空ヘッドを有するドライバー、フェアウエーウッドにおいては、打球音が大きく響くため、発音体にクラブヘッドが触れる音を聞き取るのは困難である。
また、ゴルフ練習場において、打球音以外の音を発するのは、他の人の迷惑となるおそれがあり、好ましくない。
【０００６】
特許文献３に記載のゴルフスイング練習用具においては、回転アームの先端に設けた疑似ゴルフボールと、クラブヘッド軌道のインパクト後の所定位置に配設された自動復帰手段を備えた軌道確認物体とを備えている。
しかしながら、かかるゴルフスイング練習用具においては、装置全体が複雑で大がかりなものとなり、持ち運びが困難であるという問題や、誤って回転アームなどを打ってしまうとゴルフクラブや装置の破損に繋がるなどといった危険がある。
【０００７】
さらに、特許文献４〜８には、スイングの軌道を確認するためのスイング練習機として、ゴム片、柱、触打体、ターゲット、ガイドピンといった細長い棒を立設したものが提案されているが、既に述べたとおり、これらはゴルフクラブが実際に細長い棒に触れたか否かを判定するのが難しいという問題がある。
【０００８】
なお、特許文献８に記載のスイング矯正具は、ゴルフクラブシャフトの先端部に長さを調整できる紐を介してインパクト習得用ボールを取り付けているため、実際のゴルフのプレー中にゴルフクラブをスイングする感覚とは異なるため、実際のプレーを想定した練習に適したものではない。
【先行技術文献】
【特許文献】
【０００９】
【特許文献１】実用新案登録第２５６３８７１号公報
【特許文献２】特開昭５９−１８１１７８号公報
【特許文献３】実開平３−５８４６９号公報
【特許文献４】実用新案登録第３０２９１９４号公報
【特許文献５】特開２００３−３２００６５号公報
【特許文献６】実用新案登録第３０４１８３８号公報
【特許文献７】特開昭６１−５２８８１号公報
【特許文献８】実公平６−３２１３７号公報
【発明の概要】
【発明が解決しようとする課題】
【００１０】
そこで、本発明が解決しようとする課題は、従来のゴルフスイング練習機において、特に実際にゴルフボールを打つ際におけるスイング軌道の確認が困難であること、装置全体が複雑であったり、損傷の危険があることであり、本発明の目的は、実際にゴルフボールを打つ際においてもスイング軌道の確認を簡単かつ確実に行え、さらには、スイング軌道を確認しながら反復練習することも容易であり、構造が複雑化することなく、安全で耐久性にも優れたゴルフスイング練習機を提供することにある。
【課題を解決するための手段】
【００１１】
本発明は、「直立方向に延びるターゲットと、当該ターゲットが直立した状態から水平方向に倒れた状態となるように、当該ターゲットの基部を回動可能に保持する練習機本体と、前記ターゲットの基部と連結して設けられ、当該ターゲットが水平方向に倒れた状態になると、ターゲットの基部から離れた部分が起き上がった状態となる起立部と、を備えたことを特徴とするゴルフスイング練習機。」を最も主要な特徴とするものである。
【００１２】
前記練習機本体は、上部に前記ターゲットを備えており、下部が地面に刺すことができる針状部からなるものであってもよい。
また、前記ターゲット及び前記起立部は、互いにほぼ直交するように連結されているものであってもよい。
さらに、前記ターゲット及び前記起立部は、棒状又は板状であって、全体がＬ字状に形成されているものであってもよい。
【００１３】
前記ターゲットは、前記起立部側へ若干傾いた状態で直立方向に延びているものであってもよい。また、前記ターゲット又は前記練習機本体は、耐衝撃性を備えた柔軟な素材からなるものであってもよい。
さらに、前記練習機本体は、複数個のターゲットを保持したり、異なる位置にターゲットを取り付けて保持できるように、複数個のターゲット保持部を備えているものであってもよい。
【００１４】
前記練習機本体は、水平方向に倒れる方向が異なる前記ターゲットを複数個備えているものであってもよい。
また、前記練習機本体は、水平方向に倒れた前記ターゲットの跳ね返り防止手段を備えているものであってもよい。
【００１５】
前記練習機本体は、ゴルフティ又はペグを挿通して練習機本体を地面に固定できるように、止め穴を備えているものであってもよい。
さらに、前記練習機本体は、長尺状の平板からなり、上面に目盛を備えているものであってもよい。
【発明の効果】
【００１６】
上記のように構成した本発明のゴルフスイング練習機においては、ゴルフクラブのヘッドを用いて起立部を下げる又は押さえるという簡単な操作を行うことで、しゃがむことなくゴルフスイング練習機のターゲットを再び直立するようにセットすることができる。
【００１７】
従って、実際にゴルフボールを打つ際においてもスイング軌道の確認を簡単かつ確実に行え、さらには、スイング軌道を確認しながら反復練習することも容易であり、構造が複雑化することなく、安全で耐久性にも優れたゴルフスイング練習機を提供できる。
【００１８】
本発明のゴルフスイング練習機において、前記練習機本体が、上部に前記ターゲットを備えており、下部が地面に刺すことができる針状部から構成されている場合には、練習機全体を非常にコンパクトなものとすることができ、針状部を刺すことができる任意の場所でスイング軌道の確認を行いながら簡便にスイング練習を行うことができる。
また、前記ターゲット及び前記起立部が、互いにほぼ直交するように連結されていたり、前記ターゲット及び前記起立部が、棒状又は板状であって、全体がＬ字状に形成されている場合には、ターゲット及び起立部の構成をコンパクトで簡潔な構造とすることができる。
【００１９】
本発明のゴルフスイング練習機において、前記ターゲットが、前記起立部側へ若干傾いた状態で直立方向に延びている場合には、ターゲットが直立した状態で安定させることができる。また、前記ターゲット又は前記練習機本体が、耐衝撃性を備えた柔軟な素材から構成されている場合には、練習機やゴルフクラブの損傷を防止でき、練習機の耐久性及び安全性を向上させることができる。
さらに、前記練習機本体が、複数個のターゲットを保持したり、異なる位置にターゲットを取り付けて保持できるように複数個のターゲット保持部を備えている場合には、異なるゴルフクラブに応じてスイング軌道を詳細に確認することができる。
【００２０】
前記練習機本体が、水平方向に倒れる方向が異なる前記ターゲットを複数個備えている場合には、テイクバック、ダウンスイングといった異なるスイング方向におけるスイング軌道を確認することができる。
また、前記練習機本体が、水平方向に倒れた前記ターゲットの跳ね返り防止手段を備えている場合には、ターゲットにクラブヘッドが当たったことを正しく確認することができる。
【００２１】
前記練習機本体が、止め穴を備えている場合には、その止め穴にゴルフティ又はペグを挿通して練習機本体を地面に簡単に固定できる。
さらに、前記練習機本体が、長尺状の平板からなり、上面に目盛を備えているものであれば、打球方向及びスイング方向の確認と、練習機の設置位置（ターゲットの設置位置）の確認を容易に行うことができる。
【図面の簡単な説明】
【００２２】
【図１】本発明を具体化したゴルフスイング練習機の使用状態を示す斜視図。
【図２】本発明を具体化したゴルフスイング練習機を示す斜視図。
【図３】本発明を具体化したゴルフスイング練習機のターゲット周辺部を拡大して示す斜視図。
【図４】本発明を具体化したゴルフスイング練習機の使用状態を示す正面図。
【図５】本発明を具体化したゴルフスイング練習機の使用状態を示す正面図。
【図６】本発明を具体化したゴルフスイング練習機の錘（固定手段）を示す斜視図。
【図７】本発明を具体化したゴルフスイング練習機の使用状態を示す正面図。
【図８】本発明を具体化したゴルフスイング練習機の錘（固定手段）を示す斜視図。
【図９】本発明を具体化したゴルフスイング練習機の使用状態を示す斜視図。
【図１０】本発明を具体化したゴルフスイング練習機のターゲット周辺部を示す斜視図。
【図１１】本発明を具体化したゴルフスイング練習機のターゲット周辺部などを示す斜視図。
【図１２】ゴルフスイングのインパクトゾーンを示す正面図。
【図１３】ゴルフクラブのスイング軌道を示す正面図。
【図１４】本発明を具体化したゴルフスイング練習機の使用状態を示す正面図。
【図１５】本発明を具体化したゴルフスイング練習機の他の実施形態を示す斜視図。
【発明を実施するための形態】
【００２３】
本発明は、「直立方向に延びるターゲットと、当該ターゲットが直立した状態から水平方向に倒れた状態となるように、当該ターゲットの基部を回動可能に保持する練習機本体と、前記ターゲットの基部と連結して設けられ、当該ターゲットが水平方向に倒れた状態になると、ターゲットの基部から離れた部分が起き上がった状態となる起立部と、を備えたことを特徴とするゴルフスイング練習機。」であって、以下において説明する実施の形態などにより好適に具体化することができる。
【００２４】
以下、本発明のゴルフスイング練習機を具体化した一実施形態について説明する。
図１〜図４に示すように、本発明の一実施形態のゴルフスイング練習機１は、長尺状の柔軟な平板からなり、耐衝撃性を備えたベルト状の練習機本体１０と、当該練習機本体１０の一端部側に設けられた直立方向に延びる棒状のターゲット２０と、を備えている。
この練習機本体１０は、前記ターゲット２０が設けられた端部側が可動端部側１１とされ、他方の端部側が後記する固定手段３０〜３６にて設置面にホールドされる固定端部側１２とされる。
【００２５】
また、前記練習機本体１０は、上面中央に長手方向に沿ったライン１３が記載されており、さらにそのライン１３と直交するように５ｃｍ間隔で目盛１４が記載されている。
従って、打球方向及びスイング軌道の確認と、練習機１の設置位置の確認などを行い易いようになっている。
【００２６】
前記練習機本体１０の素材としては、硬度Ａ６０〜Ａ８５程度のものが適しており、具体的には、以下のような素材から適宜選択可能である。
１）ゴム：  天然ゴム、ウレタンゴム、エチレン・プロピレンゴム（ＥＰＤＭ）、クロロプレンゴム（ＣＲ）、シリコンゴム、スチレン・ブタジエンゴム（ＳＢＲ）、ニトリルゴム（ＮＢＲ）、ブチルゴム（ＢＲ）
２）熱可塑性エラストマー：  ウレタン系エラストマー（ＴＰＵ）、スチレン系エラストマー（ＴＰＳ）、オレフィン系エラストマー（ＴＰＯ）、塩ビ系エラストマー（ＴＰＶＣ）、ポリエステル系エラストマー（ＴＰＥＥ）、ポリアミド系エラストマー（ＰＥＢＡＸ）
３）他の熱可塑性プラスチック：  エチレンビニルアセテート（ＥＶＡ）
【００２７】
前記ターゲット２０の素材としては、上記と同様の素材から適宜選択可能であるが、硬度Ａ７０〜Ｄ６０程度のものが適している。なお、一実施形態としてターゲット２０をＴＰＵから製造したが、耐久性上の問題を生じることはなく、クラブヘッドＨに損傷を生じたり、不快な衝撃音を発することもなかった。
【００２８】
前記ターゲット２０は、その基部の両側に突設された軸部２１が練習機本体１０の可動端部側１１に設けられた保持部として機能する軸受部１５の軸穴１５ａに挿入されることによって回動可能に保持されており、スイングされたクラブヘッドＨが当たると、当該ターゲット２０が直立した状態から水平方向に倒れた状態となることができる。
ここで、前記軸受部１５は、練習機本体１０の長手方向に沿って延びる一対の突起１５ｂ，１５ｃから構成されており、かかる突起１５ｂ，１５ｃの間に挟まれて案内されるように前記ターゲット２０が回動することで、ターゲット２０は練習機本体１０の長手方向に沿って（可動端部側１１から固定端部側１２へ）倒れることができるようになっている。
【００２９】
このターゲット２０の回動については、軸受部１５との間で特に摩擦力を受けることなくスムーズに行われるようにしてもよいが、クラブヘッドＨによって勢いよく倒されたターゲット２０が練習機本体１０に当たって跳ね返り、再び直立することでクラブヘッドＨのスイング軌道の確認を誤ることがないようにしてもよい。
【００３０】
そのような構成とする具体的な手段としては、
１）ターゲット２０が水平方向を向いた際に練習機本体１０に設けた一対の突条１６などによってターゲットが挟持されるようにしたり、
２）ターゲット２０が水平方向を向くに従ってターゲット２０と軸受部１５との間の摩擦力が高まるように、軸受部１５の間隔を設定したり、
３）練習機本体１０上に特に衝撃吸収性に優れた材料からなる衝撃吸収部１７を設けることで、ターゲット２０が倒れた際の衝撃を吸収するようにすること（図３（Ｃ）（Ｄ）参照）などが考えられる。
【００３１】
さらに、前記ターゲット２０の基部には、棒状の起立部２２がターゲット２０及び軸部２１と直交するように連結して設けられており、前記ターゲット２０及び前記起立部２２は、全体がＬ字状に形成されている。
この起立部２２は、練習機本体１０の長手方向に沿って外方を向いた状態で前記突起１５ａ，１５ｂの間に挟まれるように配置される。
従って、スイングされたゴルフクラブのクラブヘッドＨがターゲット２０に当たり、当該ターゲット２０が水平方向に倒れた状態になると、ターゲット２０の基部から離れた部分の起立部２２が起き上がった状態となる。そこで、起立部２２をクラブヘッドＨにて押さえることで、再びターゲット２０を簡単に直立させることができる（図４参照）。
【００３２】
ターゲット２０が直立している時の高さ（軸部２１の中心から上端部までの長さ）については、５．５±１ｃｍ程度が適当であり、起立部２２の長さ（軸部２１の中心から先端部までの長さ）については、２．５〜５ｃｍ程度が適当である。好適な実施形態においては、ターゲット２０の高さを５．５ｃｍ、起立部２２の長さを４ｃｍとしている。
なお、前記ターゲット２０は、前記起立部２２側へ若干傾いた状態で直立方向に延びており、ターゲット２０が安定して直立状態を維持でき、起き上がったターゲット２０が不用意に倒れてしまわないようになっている。このターゲット２０の傾きとしては、２．５±１度程度が適しており、ターゲット２０と起立部２２との間の角度θを８７．５±１度程度の鋭角とするのがよい（図４参照）。
【００３３】
スイングの軌道を確認しながら行うゴルフスイングの練習に際しては、前記練習機本体１０の他端部側（固定端部側１２）を固定手段３０にて設置面Ｇにホールドすることができる。これにより、ターゲット２０又は練習機本体１０にクラブヘッドＨが当たっても、練習機本体１０が固定されている位置がずれてしまうことが極めて少なくなり、繰り返しスイング練習を行うことが可能である。
【００３４】
固定手段としては、打球用マット２の端部に差し込むことができる板状部３０ａと、当該板状部３０ａの一端縁に立設され上部が水平方向に折り曲げられた支持部３０ｂと、当該支持部３０ｂに設けられたガイド穴３０ｃとからなる固定手段３０を用いることができる。この固定手段３０は、そのガイド穴３０ｃに練習機本体１０の固定端部側１２を挿通することで、練習機本体１０を適宜の位置にて固定することができる。
【００３５】
そして、ガイド穴３０ｃに挿通された練習機本体１０が斜め上方に向かって持ち上げられるように湾曲するようになっている（図１、図５参照）。
即ち、前記練習機本体１０は、前記ターゲット２０が設けられた可動端部側１１と、固定手段３０にて設置面Ｇにホールドされる固定端部側１２との接続部分が上方に向かって湾曲した状態となっている。
なお、前記ガイド穴３０ｃは、練習機本体１０のターゲット２０が設けられた部分まで湾曲しないように練習機本体１０が適度に湾曲した形状となるように、斜め方向に開口して設けるとよい。
【００３６】
他の固定手段としては、前記練習機本体１０の固定端部側１２に設けられた複数個の止め穴１８に挿通されるゴルフティ又はペグ３１を用いて練習機本体１０を設置面（地面）Ｇに固定してもよい。
また、固定手段としては、図６に示すように、１）口部に装着されたキャップ３２ａを外すことで内部に水又は砂などを入れることができる扁平な容器３２からなる錘、又は、２）金属、比重の高い合成樹脂、ゴム、ゲル又はこれらの組合せからなる中実の錘であってもよい。
前記容器３２は、前記練習機本体１０を嵌め込むことができる溝３２ｂを底面に備えており、さらに、前記練習機本体を挿通することができるガイド穴３２ｃを前記溝３２ｂの端部付近に備えている。
さらに、前記容器３２の裏面には、滑り止め材３２ｄが貼付してあり、練習機本体１０が設置面Ｇからずれ動くことを効果的に防止できるようになっている。
【００３７】
前記ガイド穴３２ｃは、図７に示すように容器３２の低面側から上方に向かうに従って斜め外方へ延設されており、ガイド穴３２ｃに挿通された練習機本体１０が（練習機本体１０のターゲット２０が設けられた部分まで湾曲しないように）斜め上方に向かって持ち上げられるように適度に湾曲するようになっている。
即ち、前記練習機本体１０は、前記ターゲット２０が設けられた可動端部側１１と、固定手段３０又は３２にて設置面Ｇにホールドされる固定端部側１２との接続部分が上方に向かって湾曲した状態となっている。
【００３８】
従って、図５又は図７に示すように、特に練習機本体１０に誤ってクラブヘッドＨが強く当たった際に、可動端部側１１がクラブヘッドＨによる衝撃を吸収して跳ね上がり易く、元に戻り、ゴルフスイング練習機１又はクラブヘッドＨの損傷を防ぐことができるとともに、練習機本体１０の固定端部側１２の固定位置が簡単にずれてしまうことを防ぐこともできる。
なお、固定手段として、図８及び図９に示すようにガイド穴３２ｃを備えていない容器３３〜３６を用いたり、図８（Ｂ）〜（Ｄ）に示すように練習機本体１０を押さえ易く、かつ飛球線方向をイメージし易くするために、一方の端部が細くなっていたり上面に飛球線方向を示す矢印又は模様を記載した容器３４〜３６を使用してもよい。
【００３９】
前記ターゲット２０及び起立部２２としては、図２（Ｂ）に示すように、塗装Ｐを施したり、素材を変更することで、異なる色を備えたものから構成してもよい。前記ターゲット２０及び起立部２２を異なる色とすることで、ターゲット２０が倒れた際に起立部２２と異なる色のターゲット２０の側面を上から視認できるため、ターゲット２０が倒れたことを視覚的により簡単かつ速やかに認識することができるようになる。
【００４０】
前記練習機本体１０は、図１０（Ａ）に示すように、可動端部側１１に前記ターゲット２０を複数個備えていてもよい。
また、前記練習機本体１０は、図１０（Ｂ）に示すように、可動端部側１１に前記ターゲット２０を保持することができる保持部としての軸受部１５を複数個設置しておき、任意の軸受部１５にターゲット２０を装着するようにしてもよい。
これは、ドライバー、フェアウエーウッド、アイアンといったゴルフクラブの違いに応じてスイング軌道やインパクトゾーンの位置、長さ及び高さが異なるため、ゴルフクラブに応じてスイング軌道を確認できるようにするためである。
さらには、軸受部１５に対するターゲット２０の装着方向を一部逆向きとして実施してもよい。これは、ターゲット２０が倒れる方向を逆にすることで、テイクバック、ダウンスイングといった異なるスイング方向におけるスイング軌道を確認することができるようにするためである。
【００４１】
また、これらの複数個のターゲット２０の高さは、全て同じであってもよいが、固定端部側１２ほど高くするなどの変更を加えてもよい。
さらに、これら複数個のターゲット２０を立設配置する間隔は、等間隔であってもよく、異なる間隔であってもよい。
また、これら複数個のターゲット２０を面ファスナー、凹凸部材の係合、フック、バネ、螺合、その他の手段によって取り外し可能とし、ターゲット２０を立設配置する間隔やターゲット２０の個数を適宜変更できるようにしてもよい。
【００４２】
前記起立部２２は、図１１又は図１４に示すように、先端側が練習機本体１０の長手方向と直交する方向に曲げられていてもよく、板状に形成されていてもよい（図１１の左下の図参照）。
また、前記練習機本体１０は、固定手段にて設置面Ｇにホールドされる固定端部側１２の硬度が、前記ターゲット２０が設けられた可動端部側１１の硬度より高められていてもよい。これにより、誤って練習機本体１０をクラブヘッドＨにて打撃した場合にも元の状態に戻り易いという効果を得られる。
【００４３】
次に、上記構成されたゴルフスイング練習機１の使用方法について説明する。
このゴルフスイング練習機１を用いて幅広いインパクトゾーンを備えたゴルフクラブのスイングを身につけるための練習をするには、好ましくは、図１に示すようにゴルフスイング練習機を２個用意し、ゴルフボール３と同一線上に置いて向き合うように設置する。
即ち、１個のゴルフスイング練習機１をゴルフボール３の前方に配置して固定手段３０を用いて設置面Ｇにホールドし、他のゴルフスイング練習機１をゴルフボール３の後方に逆向きに配置して固定手段３０を用いて設置面Ｇにホールドする（ゴルフクラブがゴルフスイング練習機１に当たってもゴルフスイング練習機１が設置面Ｇからずれ動いてしまわないようにする）。
【００４４】
ここで、幅広いインパクトゾーンを備えたゴルフクラブのスイングとは、ダウンスイング、インパクト及びフォロースルーにおいて、図１２（Ｂ）に示すように、クラブヘッドＨがゴルフボール３を正しく打つことができるような高さで打球方向を向いている軌道が、ゴルフボール３の前後において長い状態となっているスイングである。
図１２（Ａ）に示すように、テイクバックで低く長いスイングを意識すると、ゆっくりとしたリズムで肩を回した理想的なテイクバックをとることができ、その軌道イメージでダウンスイングし易くなり、結果的にインパクトゾーンが広がることになる。
このようなスイング軌道により、飛距離アップ、方向性の向上及び正確なインパクトを得ることができる。
なお、幅広いインパクトゾーンを備えていないスイングとは、図１２（Ｃ）に示すようにインパクト前後におけるクラブヘッドＨの上下移動が大きいスイングであって、技量が劣るゴルファーに良く見られるスイングである。
【００４５】
ドライバーでティ高さが４．５ｃｍ程度、ターゲット２０の高さが５．５ｃｍの場合、ゴルフボール３と、ゴルフボール３前方のターゲット２０との距離は、約１０〜２０ｃｍ程度が妥当であるが、スイングの練習に際しては、徐々にその位置を変化させてもよい（図１３参照）。
これは、フォロースルーの際にクラブヘッドＨのフェース側がターゲット２０に当たり、ターゲット２０が前方に倒れることで、ゴルフボール３前方における幅広いインパクトゾーンを備えたスイングの軌道を確認するためのものである。
【００４６】
ドライバーでティ高さが４．５ｃｍ程度、ターゲット２０の高さが５．５ｃｍの場合、ゴルフボール３と、ゴルフボール３後方のターゲット２０との距離は、約５０ｃｍ程度が妥当であるが、スイングの練習に際しては、徐々にその位置を変化させてもよい。
これは、テイクバックの際にクラブヘッドＨの裏側がターゲット２０に当たり、ターゲット２０が後方に倒れることで、低く長いスイングでテイクバックできるようになる。それにより、テイクバックの軌道イメージでダウンスイングすれば、長いインパクトゾーンが得られる。
ドライバーをスイングする場合におけるターゲット２０、ゴルフボール３及びスイング軌道との典型的な位置関係は、図１３に示されているが、この位置関係は、ゴルフクラブの種類により異なり、また、個人差により必ずしも一定ではなく、スイング練習の参考として使用することが望まれるものである。
【００４７】
上記のようにスイング練習（これは、実際に打球する場合であっても素振りをする場合であってもよい。）を行って、ターゲット２０が水平方向を向くように倒れた場合には、起立部２２が起き上がるので、クラブヘッドＨによって上方から又は側方から起立部２２を元通りの状態に押し下げれば、ターゲット２０を引き起こして再び直立させることができる（図４、図１４（Ａ）〜（Ｅ）参照）。
【００４８】
従って、実際に打球する場合であっても、ターゲット２０が倒れることによりスイング軌道を簡単かつ明確に確認できるとともに、スイングの度にしゃがみ込んでターゲット２０を立てるという操作をする必要が無く、簡便に繰り返しスイング練習をすることができる。
【００４９】
次に、本発明のゴルフスイング練習機１を製造する方法について説明する。
本発明のゴルフスイング練習機１を製造するには、練習機本体１０と、ターゲット２０を別個に成形し、練習機本体１０の軸受部１５の上部側を開くように練習機本体１０を変形させ、ターゲット２０の基部に設けた軸部２１を軸受部１５の軸穴１５ａに嵌め込む。また、容器３２を別途ブロー成形にて製造し、口部にキャップ３２ａを装着する。
【００５０】
上記の方法にて簡易にゴルフスイング練習機１を製造することが可能である。
従って、本発明のゴルフスイング練習機１においては、ターゲット２０が倒れることでスイング軌道の確認を明確に行うことができ、さらに、倒れたターゲット２０を引き起こす操作を容易に行うことができるため、幅広いインパクトゾーンを備えたスイングを繰り返し練習するのに適したゴルフスイング練習機を提供することができる。
【００５１】
本発明は、上記実施形態に限定されるものではなく、図１５に示すように、長尺状の練習機本体１０に代えて、前記練習機本体１０が、上部に前記ターゲット２０を備えており、下部が地面に刺すことができる針状部１９から構成されている場合には、スイング練習機１全体を非常にコンパクトなものとすることができ、針状部１９を刺すことができる任意の場所でスイング軌道の確認を行いながら簡便にスイング練習を行うことができる。
あるいは、ターゲットの基部に軸穴を設け、保持部として軸受部１５に代えて軸を用い、当該軸をターゲットの軸穴に挿通することによってターゲット２０を練習機本体１０上に回動可能に保持するようにして実施してもよい。
【００５２】
また、本発明のゴルフスイング練習機１を紐などにて２個連接して具体化し、２個の練習機１間の間隔を一定に保つようにして実施してもよい。また、前記ターゲット２０は、円柱状の他、角柱状、板状のものであってもよい。
【００５３】
本発明は上記各実施形態に限定されるものではなく、本発明の趣旨を逸脱しない範囲でゴルフスイング練習機の各部の材質、形状、寸法、強度、設置位置、厚さ、大きさ、数などを適宜変更して実施してもよく、例えば、練習機本体の形状は、長尺状以外の正方形、円形、楕円形、台形などであってもよい。
また、練習機本体は、「扁平又は平坦で柔軟な素材からなり、耐衝撃性を備えた練習機本体」であることが望ましく、それには、１）素材自体が柔軟であって練習機本体が衝撃を吸収し耐衝撃性を有するものである場合と、２）素材が扁平又は平坦であるために練習機本体が柔軟であって衝撃を吸収し耐衝撃性を有するものである場合とを含む。
さらに、練習機本体は、中実である場合、中空である場合、織布又は不織布からなる場合も含む。
【産業上の利用可能性】
【００５４】
本発明は、ターゲットによるスイング軌道の確認が容易であり、かつ、倒れたターゲットを繰り返し直立させるといった操作も容易であり、耐久性にも優れるため、ゴルフ練習場にて使用するゴルフスイング練習機として好適に利用可能であるばかりか、その他の場所においても手軽に利用可能である。
【符号の説明】
【００５５】
１    ゴルフスイング練習機
２    打球用マット
３    ゴルフボール
１０    練習機本体
１１    可動端部側
１２    固定端部側
１３    ライン
１４    目盛
１５    軸受部（保持部）
１５ａ  軸穴
１５ｂ  突起
１５ｃ  突起
１６    突条
１７    衝撃吸収部
１８    止め穴
２０    ターゲット
２１    軸部
２２    起立部
３０    錘
３０ａ  板状部
３０ｂ  支持部
３０ｃ  ガイド穴
３１    ゴルフティ
３２    容器
３３〜３６    容器
Ｇ    設置面
Ｈ    ゴルフクラブヘッド
Ｐ    塗装
θ    角度
【図１】
2013043025.tif 000003
【図２】
2013043025.tif 000004
【図３】
2013043025.tif 000005
【図４】
2013043025.tif 000006
【図５】
2013043025.tif 000007
【図６】
2013043025.tif 000008
【図７】
2013043025.tif 000009
【図８】
2013043025.tif 000010
【図９】
2013043025.tif 000011
【図１０】
2013043025.tif 000012
【図１１】
2013043025.tif 000013
【図１２】
2013043025.tif 000014
【図１３】
2013043025.tif 000015
【図１４】
2013043025.tif 000016
【図１５】
2013043025.tif 000017